(57)【特許請求の範囲】
【請求項１】
上側窓枠と下側窓枠との間に取り付けられる外壁パネルであって、外壁材または外壁カバー材で覆われた外壁材と、この外壁材または外壁カバー材と上側窓枠の間を水密にシールする上側シール材と、ボルトを螺入することで外壁材を建物の構造材に近づけ固定することのできる固定金具と、外壁材を支持する支持板と、支持板または外壁カバー材と下側窓枠の間を水密にシールする下側シール材と、外壁材を窓枠の上に導くガイド板とからなり、前記上側シール材は外壁材または外壁カバー材の上側端面に設けられ、前記固定金具は外壁材の裏側に設けられ、前記支持板は、ほぼ水平な水平部とほぼ垂直な垂直部とほぼ水平な載置部とがＺ形に形成され、この垂直部を外壁材の裏面に平行にし、載置部を室内方向に突出させた状態にして、水平部が外壁材または外壁カバー材の下側端面に取り付けられ、前記下側シール材は支持板の垂直部または外壁カバー材の室内側面に取り付けられ、前記ガイド板は支持板の載置部の室内側先端に斜め上方向に延設されていることを特徴とする外壁パネル。
【請求項２】
前記固定金具が、支持板の垂直部の室外側面に取り付けられた取付板と、構造材当て板とからなり、取付板にはネジ孔が設けられ、構造材当て板には通孔が設けられ、外壁材を建物の構造材に近づける前記ボルトが構造材当て板の通孔から取付板のネジ孔に螺入されて構造材当て板と取付板とが連結されていることを特徴とする請求項１記載の外壁パネル。
【請求項３】
請求項１または２記載の外壁パネルの上端を下方向または斜め下方向から上側窓枠の下側端面に接近させて、外壁材または外壁カバー材の上側端面に設けられている上側シール材を上側窓枠の下側端面に押し当てた状態にして、外壁パネルの下部を下側窓枠に接近させて、ガイド板を下側窓枠または構造材の上に載せた後、固定金具にボルトを螺入して外壁材を次第に建物の構造材に近づけて、下側窓枠または構造材の上に載っているガイド板を室内方向に滑動させて、ガイド板を延設させている支持板の載置部を下側窓枠または構造材の上に載せると同時に、下側シール材を下側窓枠の室外面に密着させることを特徴とする外壁パネルの取付方法。
【発明の詳細な説明】
【０００１】
【発明の属する技術分野】
本発明は外壁パネルと外壁パネルの取付方法に関する。
詳細には、上下に設けられている２つの窓枠の間に嵌め込んで取り付けることのできる外壁パネルと、この外壁パネルの取付方法に関する。
【０００２】
【従来の技術】
建物に取り付ける外壁パネルとしては種々あるが、プレキャストコンクリート板やＡＬＣ板や気泡コンクリート板等の無機質の外壁材をパネル状にした外壁パネルが、外観と性能がよいので多く使用されている。
この無機質の外壁材は、そのまま外壁パネルに使用されることもあるし、実公昭６１−４３８６９号公報に記載あるように、凍結破壊を防いだり、表面を美麗にするために、外壁カバーで表面を覆って使用されることもある。又、無機質の外壁材の表面にフレームを取り付けて補強して使用することもある。
【０００３】
そして、この外壁パネルは、特公平３−３４５３８号公報や実公平３−２４７３３号公報に記載あるように、無機質の外壁材の裏側に取付金具を設けていて、この取付金具を建物の構造材に取り付けるようにしている。
又、この外壁パネルの複数枚を並べて取り付けたときに、外壁パネルと外壁パネルとの間の隙間から雨水が漏れて、室内に侵入することがあるので、実公平２−２４８２６号公報に記載あるように、外壁パネルの接続端面に予めシール材を設けていて、このシール材を挟んで隣の外壁パネルを取り付けて、外壁パネルと外壁パネルとの間をシール材で水密にシールすることが多く行われている。
【０００４】
一方、建物には、必ず窓等の開口部が設けられている。
この開口部は、通常、開口部の周縁部の室内側には柱、マグサ、窓台等の構造材を設け、この構造材に窓枠を取り付けた後、この窓枠に戸を開閉自在に取り付けた構造をしている。
そして、この窓枠の周囲には外壁パネルが取り付けられる。従って、外壁パネルと窓枠との境界から雨水を漏れなくすることも重要である。
【０００５】
この外壁パネルと窓枠の境界を水密にする手段としては、実公平３−３７４６号公報に記載されているように、外壁パネルと外壁パネルの間の隙間から雨水を漏れなくする手段と同様に、窓枠と外壁材の間にシール材を挟んで水密にシールすることが行われている。
【０００６】
【発明が解決しようとする課題】
しかし、窓枠が一つだけのときには、柱、マグサ、窓台等の構造材に窓枠を取り付け、この周囲に外壁パネルを取り付ければよいが、１階の窓枠の上方に２階の窓枠があるというように、上下に予め取り付けられている窓枠があり、この間に外壁パネルを嵌め込んで取り付ける場合には、施工が困難である。
【０００７】
即ち、プレキャストコンクリート等の無機質の外壁材をパネル状にした外壁パネルは、無機質が固化する際の収縮等が原因で寸法精度がよくない。又、施工現場で、柱、マグサ、窓台等の構造材を組み立てたり、この構造材に窓枠を取り付ける際の誤差等で窓枠の取付位置の精度も不十分である。従って、予め取り付けられている上下の窓枠の間に外壁パネルが完全に納まらないことが多く、そのために外壁パネルと窓枠との間から雨水が漏れるという問題が生ずる。
【０００８】
このことを図５〜図７を参照しながら説明する。
図５〜図７は、建物の２階に上側窓枠２ａと１階の下側窓枠３ａが取り付けられ、この間に４枚の壁パネル４ａが取り付けられた図を示すもので、図５は上下に窓枠が取り付けられた壁の正面図、図６（イ）、（ロ）は図５のＤ−Ｄ線における断面図、図７は図５のＥ部分の斜視断面図である。
【０００９】
そして、壁パネル４ａは、図６（イ）に示すように、外壁材４１ａの裏面にフレーム４８ａが取り付けられ、この外壁材４１ａの表面に外壁カバー材４７ａが取り付けられ、外壁カバー材４７ａの上端端面に上側シール材４４ａを取り付け、外壁材４１ａの下端面に支持板４２ａを取り付け、この支持板４２ａに固定金具４３ａの取付板４３１ａを設けたものである。
【００１０】
尚、この支持板４２ａは外壁材４１ａの下端面を支持する水平部４２１ａと垂直部４２２ａと載置部４２３ａとからなり、垂直部４２２ａに下側シール材４５ａを取り付けている。又、固定金具４３ａは取付板４３１ａと構造材当て板４３２ａとからなり、取付板４３１ａにはネジ孔が、又、構造材当て板４３２ａには通孔が設けられていて、ボルト５ａを構造材当て板４３２ａの通孔から取付板４３１ａのネジ孔に螺入すると構造材当て板４３２ａと取付板４３１ａの距離が短くなるようになっている。
【００１１】
そして、この壁パネル４ａを上側窓枠２ａと下側窓枠３ａの間に嵌め込んで取り付ける方法は、外壁パネル４ａの上端を下方向または斜め下方向から上側窓枠２ａの下側端面に接近させ、外壁カバー材４７ａの上側端面に設けられている上側シール材４４ａを上側窓枠２ａの下側端面に押し当てた状態にして、壁パネル４ａの下部を下側窓枠３ａに接近させ、建物の構造材３１ａの室内側面に構造材当て板４３２ａを当接させて、この構造材当て板４３２ａに設けられた通孔から取付板４３１ａのネジ孔にボルト５ａを螺入して固定金具４３ａの取付板４３１ａを次第に建物の構造材３１ａに近づけて、支持板４２ａの載置部４２３ａを下側窓枠３ａの上端に載せると同時に、下側シール材４５ａを下側窓枠３ａの室外面に密着させる。
【００１２】
すると、図６（イ）に示す構造になって、外壁パネル４ａが上側窓枠２ａと下側窓枠３ａの間に嵌め込まれる。
このようにすると、上側窓枠２ａと外壁パネル４ａとが上側シール材４４ａでシールされ、下側窓枠３ａと外壁パネル４ａの間が下側シール材４５ａでシールされる。
【００１３】
しかし、寸法精度が悪くて上側窓枠２ａと下側窓枠３ａとの間の距離より壁パネル４ａが長い場合には、建物の構造材当て板４３２ａに設けられた通孔から取付板４３１ａのネジ孔にボルト５ａを螺入して取付板４３１ａを次第に建物の構造材３１ａに近づけたときに、図６（ロ）に示すように、支持板４２ａの載置部４２３ａが下側窓枠３ａの上端と衝突して、支持板４２ａの載置部４２３ａが下側窓枠３ａの上端に載せることができず、そのため、下側シール材４５ａが下側窓枠３ａの室外側面に当接せず、下側窓枠３ａと外壁パネル４ａとの間の隙間Ｓが生じ、この隙間Ｓから雨水が侵入するという問題がある。
【００１４】
又、外壁パネル４ａが下側窓枠３ａの上に載っていないので、重い外壁パネル４ａが次第に下方に移動し、外壁カバー材４７ａが上側窓枠２ａから離れて、外壁カバー材４７ａと上側窓枠２ａの間の上側シール材４４ａの水密性が悪くなったり、上側シール材４４ａと上側窓枠２ａとの間に隙間が生じて、この隙間から雨水が漏れるようになる。特に、図６に示す下側窓枠３ａの上側角部の隙間Ｓでは、２階の外壁パネルの外壁面を流れてきた大量の雨水の通り道に当たり、この隙間Ｓから雨水が侵入し、雨水が室内に流れ込むことが多い。
そこで、本発明の目的は、上側窓枠と下側窓枠の間に雨水が侵入しないように嵌め込んで取り付けることのできる外壁パネルと、この外壁パネルの施工方法を提供することである。
【００１５】
【課題を解決するための手段】
本発明は上記目的を達成するためになしたものであって、請求項１記載の発明は、上側窓枠と下側窓枠との間に取り付けられる外壁パネルであって、外壁材または外壁カバー材で覆われた外壁材と、この外壁材または外壁カバー材と上側窓枠の間を水密にシールする上側シール材と、ボルトを螺入することで外壁材を建物の構造材に近づけ固定することのできる固定金具と、外壁材を支持する支持板と、支持板または外壁カバー材と下側窓枠の間を水密にシールする下側シール材と、外壁材を窓枠の上に導くガイド板とからなり、前記上側シール材は外壁材または外壁カバー材の上側端面に設けられ、前記固定金具は外壁材の裏側に設けられ、前記支持板は、ほぼ水平な水平部とほぼ垂直な垂直部とほぼ水平な載置部とがＺ形に形成され、この垂直部を外壁材の裏面に平行にし、載置部を室内方向に突出させた状態にして、水平部が外壁材または外壁カバー材の下側端面に取り付けられ、前記下側シール材は支持板の垂直部または外壁カバー材の室内側面に取り付けられ、前記ガイド板は支持板の載置部の室内側先端に斜め上方向に延設されているものである。
【００１６】
本発明における建物の構造材とは建物にかかる重力、地震、風等の主な外力を支えるものであって、柱、梁等をいう。開口の周囲では、窓の周囲に取り付けられている柱、マグサ、窓台等をいう。
この請求項１記載の発明における固定金具は、外壁パネルの一部であって、ネジ孔を備え、このネジ孔にボルトを螺入すると、外壁材を建物の構造材に近づけて固定するものである。
【００１７】
かかる固定金具としては種々ある。例えば、ネジ孔を備えた板体であって、この固定金具の一部が外壁材に埋め込まれたり、外壁材を補修するフレームや支持板や外壁カバー材等の外壁材に取り付けられている部材に取り付け、建物の構造材に設けられた通孔から、この固定金具のネジ孔に螺入することで、壁パネルを構造材に引き寄せられて固定するものでもよいが、請求項２記載のように、支持板の垂直部の室外側面に取り付けられた通孔を備えた取付板と、ネジ孔を備えた構造材当て板とからなり、構造材当て板の通孔から取付板のネジ孔に螺入されたボルトで構造材当て板と取付板とが連結されたものであると、構造材当て板を構造材の室内側面に当接させて、構造材当て板の通孔から取付板のネジ孔にボルトを更に螺入すると、取付板と構造材当て板間の距離が縮まり、外壁パネルを構造材に近づけて固定することができ、構造材に通孔等を設けることなく、外壁パネルを構造材方向に近づけて固定することができるので好ましい。
【００１８】
即ち、請求項２記載の発明は、請求項１記載の発明に係り、前記固定金具が、支持板の垂直部の室外側面に取り付けられた取付板と、構造材当て板とからなり、取付板にはネジ孔が設けられ、構造材当て板には通孔が設けられ、外壁材を建物の構造材に近づける前記ボルトが構造材当て板の通孔から取付板のネジ孔に螺入されて構造材当て板と取付板とが連結されているものである。
【００１９】
請求項３記載の発明は、請求項１または２記載の外壁パネルの上端を下方向または斜め下方向から上側窓枠の下側端面に接近させて、外壁材または外壁カバー材の上側端面に設けられている上側シール材を上側窓枠の下側端面に押し当てた状態にして、外壁パネルの下部を下側窓枠に接近させて、ガイド板を下側窓枠または構造材の上に載せた後、固定金具にボルトを螺入して外壁材を次第に建物の構造材に近づけて、下側窓枠または構造材の上に載っているガイド板を室内方向に滑動させて、ガイド板を延設させている支持板の載置部を下側窓枠または構造材の上に載せると同時に、下側シール材を下側窓枠の室外面に密着させるものである。
【００２０】
（作用）
請求項１または２記載の発明の外壁パネルを、請求項３記載の発明で取り付ける方法で、上側窓枠と下側窓枠の間に嵌め込んで取り付けることが最もよいので、請求項１または２記載の発明の外壁パネルを請求項３記載の発明の外壁パネルの取付方法で取り付ける施工方法を説明しながら、請求項１〜３記載の発明の作用を一緒に説明する。
【００２１】
先ず、請求項１または２記載の外壁パネルを、請求項３記載の取付方法のように、外壁パネルを下方向または斜め下方向から上側窓枠の下側端面に接近させて、外壁パネルまたは外壁カバー材の上側端面に設けられている上側シール材を上側窓枠の下側端面に押し当てた状態にして、外壁パネルの下部を下側窓枠に接近させ、ガイド板を下側窓枠または構造材の上に載せる。
【００２２】
すると、請求項１または２記載の外壁パネルでは、ガイド板が支持板の載置部の室内側先端から斜め上方向に延設されているので、寸法精度が悪くて上側窓枠と下側窓枠との間の距離より壁パネルが長い場合でも、斜め上方向に延設されているガイド板は、下側窓枠の上に載せる予定の支持板の載置部より上にあり、簡単に下側窓枠の上にガイド板を載せることができる。
【００２３】
尚、請求項２記載の発明では請求項１記載の固定金具が特定されているだけであるので、この固定金具以外は、請求項１記載の外壁パネルと請求項２記載の外壁パネルとは同じである。
次に、固定金具にボルトを螺入して外壁パネルを次第に建物の構造材に近づける。
すると、請求項１記載の発明では、固定金具がボルトを螺入することで外壁材を建物の構造材に近づけ固定できるものであるので、固定金具にボルトを螺入して、外壁パネルを次第に建物の構造材に近づけることができる。
【００２４】
又、請求項２記載の発明では、固定金具が、支持板の垂直部の室外側面に取り付けられた取付板と、構造材当て板とからなり、取付板にはネジ孔が設けられ、構造材当て板には通孔が設けられ、外壁材を建物の構造材に近づける前記ボルトが構造材当て板の通孔から取付板のネジ孔に螺入されて構造材当て板と取付板とが連結されているので、構造材当て板を構造材の室内側面に当接させて、構造材当て板の通孔から取付板のネジ孔にボルトを螺入して、取付板と構造材当て板間の距離を縮めることにより取付板を建物の構造材に近づけることができる。
【００２５】
尚、このボルトをナットに螺入して固定金具または取付板を建物の構造材に近づける力は極めて強力であるので、ボルトを螺入すると、下側窓枠または構造材の上に載っているガイド板が下側窓枠または構造材の上を室内方向に滑動し、固定金具が取り付けられている外壁パネルを室内方向に簡単に移動させることができるのである。
【００２６】
この際、壁パネルの長さが上側窓枠と下側窓枠との間の距離より長いときには、ボルトがネジ孔に螺入されるときの力により、上側窓枠が上方に移動したり、下側窓枠が下方に移動して、上側窓枠と下側窓枠の距離が広がり、壁パネルが上側窓枠と下側窓枠の間に強引に挿入される。
【００２７】
そして、ガイド板が下側窓枠または構造材の上を通過すると、このガイド板が延設されている支持板の載置部が、このガイド板に続いて、下側窓枠または構造材の上に載り、この下側窓枠または構造材の上を滑動し、支持板の垂直部の室内側面に取り付けられている下側シール材が下側窓枠に密着する。
このように、下側シール材が下側窓枠に密着すると、ボルトの螺入を停止させる。
【００２８】
このようにすると、ガイド板の室外側に設けられている支持板の載置部が下側窓枠または構造材の上に載って外壁パネルが固定されるし、支持板の垂直部の室内側面に取り付けられている下側シール材が下側窓枠の室外面に密着し、この部分が水密にシールされる。
このように、ガイド板があると、このガイド板に導かれて支持板の載置部が下側窓枠または構造材の上に簡単に載せることができるので、従来のように、載置部が下側窓枠に衝突することがない。
又、外壁パネルが下方に移動しなくなり、外壁パネルと上側窓枠の間の水密性が悪くならない。
このように、開口の周囲から雨水が漏れることがなく安心である。
【００２９】
【発明の実施の形態】
次に、本発明の実施の形態を実施例で説明する。
図１〜図４は本発明の一実施例を示すもので、図１は上下に窓が設けられた建物の窓部分を示す正面図、図２は図１のＡ−Ａ線における断面図、図３は外壁パネルを示すもので、（イ）は斜視図、（ロ）は外壁パネルを裏返した状態を示す斜視図、図４（イ）は図３のＢ─Ｂ線における断面図、（ロ）は（イ）のＣ部分の支持板の載置部が窓枠の上に載った状態を示す断面図である。
【００３０】
図１〜図４において、１は建物の壁であり、この建物の壁１には１階の上側開口の上方に２階の下側開口が設けられている。
そして、この上側開口の上縁の室内側には、図示しないマグサが、又、上側開口の下縁の室内側には、図２に示す窓台２１が取り付けられ、このマグサと窓台２１の間に、上側窓枠２が取り付けられ、この上側窓枠２には、ガラス戸２２が取り付けられている。
【００３１】
又、下側開口の上縁の室内側には、図２に示すマグサ３１が、又、下側開口の下縁の室内側には、図示しない窓台が取り付けられ、このマグサ３１と窓台との間に下側窓枠３が取り付けられ、この下側窓枠３には、ガラス戸３２が取り付けられている。
【００３２】
４は外壁パネルであり、この外壁パネル４は、図４に示すように、気泡コンクリート板の外壁材４１と、この外壁材４１の上端面から屋外面を経て下端面を覆う金属板の外壁カバー材４７と、外壁材４１の室内側に取り付けられた金属製のフレーム４８と、外壁材４１の下端面に取り付けられた支持板４２と、この支持板４２に取り付けられた固定金具４３と、外壁カバー材４７の上側端面に取り付けられた上側シール材４４と、支持板４２の室内側面に取り付けられた下側シール材４５と、ガイド板４６からなる。
【００３３】
支持板４２は、一枚の金属板を折曲してほぼ水平な水平部４２１とほぼ垂直な垂直部４２２とほぼ水平な載置部４２３をＺ形に形成したものであり、この垂直部４２２の室内側面には下側シール材４５が取り付けられている。
そして、水平部４２１が外壁材４１の下側端面に取り付けられている。すると、垂直部４２２が外壁材４１の裏面に平行になり、載置部４２３が室内方向に突出した状態になる。
固定金具４３は取付板４３１と構造材当て板４３２とからなり、この取付板４３１が支持板４２の垂直部４２２の室外側面に取り付けられている。
【００３４】
又、取付板４３１にはネジ孔４３５が設けられ、構造材当て板４３２には通孔４３６が設けられていて、この構造材当て板４３２の通孔４３６を通って取付板４３１のネジ孔４３５に螺入されたボルト５で両者が連結されている。
上側シール材４４と下側シール材４５は、四角柱状の合成ゴム製のロッドである。
ガイド板４６は、支持板４２の載置部４２３の室内側先端から斜め上方向に延設された金属板である。
この外壁パネル４は、上側窓枠２と下側窓枠３の間に嵌め込まれて取り付けられている。
【００３５】
この外壁パネル３の取付構造を説明する。
外壁材４１を覆っている外壁カバー材４７の上側端面に設けられている上側シール材４４が上側窓枠２の下側端面に押し付けられ、支持板４２の載置部４２３が下側窓枠３の上に載せられ、下側シール材４５が下側窓枠の室外面に当接され、固定金具４３の構造材当て板４３２がマグサ３１の室内側面に当接され、構造材当て板４３５の通孔４３６を通って取付板４３１のネジ孔４３５に螺入されたボルト５で外壁パネル４がマグサ３１に固定されている。
【００３６】
次に、この外壁パネル４の取付方法および作用について説明する。
先ず、外壁パネル４の上端面を下方向または斜め下方向から上側窓枠の下側に接近させ、外壁パネル４の外壁カバー材４７の上側端面に設けられている上側シール材４４を上側窓枠２の下側端面に押し当てた状態にして、外壁パネル４の下部を下側窓枠３に接近させ、ガイド板４６を下側窓枠３の上に載せる。
すると、ガイド板４６は支持板４２の載置部４２３の室内側先端から斜め上方向に延設されているので、寸法精度が悪くて上側窓枠２と下側窓枠３との間の距離より壁パネル４が長い場合でも、斜め上方向に延設されているガイド板４６は、下側窓枠３の上に載せる予定の支持板４２の載置部４２３より上になっていて、簡単に下側窓枠３の上にガイド板４６を載せることができる。
【００３７】
次に、構造材当て板４３２をマグサ３１の室内側面に当接させ、ボルト５を構造材当て板４３２の通孔４３６から取付板４３１のネジ孔４３５に螺入する。
このように構造材当て板４３２をマグサ３１の室内側面に当接させて、構造材当て板４３２の通孔４３６から取付板４３１のネジ孔４３５にボルト５を螺入すると、取付板４３１と構造材当て板４３２との距離が縮まり取付板４３１が次第に建物の構造材に近づく。
その結果、取付板４３１を取り付けている外壁パネル４の支持板４２が室内方向に移動し、下側窓枠３の上端に載っているガイド板４６が下側窓枠の上を室内方向に滑動する。
【００３８】
このボルト５による取付板４３１をマグサ３１に近づける力は極めて強力であるので、下側窓枠３の上に載っているガイド板４６が下側窓枠３の上を室内方向に滑動し、取付板４３１を取り付けている外壁パネル４が室内方向に簡単に移動するのである。
尚、この際、外壁パネル４の長さが上側窓枠２と下側窓枠３との間の距離より長いときには、ボルト５がネジ孔４３５に螺入されるときの力により、上側窓枠２が押し上げられて上方に移動したり、下側窓枠３が押し下げられて下方に移動して、上側窓枠２と下側窓枠３の間の距離が広がり、外壁パネル４が上側窓枠２と上側窓枠３の間に強引に入る。
【００３９】
ガイド板４６が下側窓枠３の上を通過すると、このガイド板４６が延設されている支持板４２の載置部４２３が、このガイド板４６に続いて、下側窓枠３の上に載り、この下側窓枠３の上を滑動する。
そして、支持板４２の垂直部４２２の室内側面に取り付けられている下側シール材４５が下側窓枠３に密着すると、ボルト５の螺入を停止される。
【００４０】
このようにすると、ガイド板４６の室外側に設けられている支持板４２の載置部４２３が下側窓枠３の上に載った状態で、外壁パネル４が固定されるし、支持板４２の垂直部４２２の室内側面に取り付けられている下側シール材４５が下側窓枠３の室外側に密着し、外壁パネル４と下側窓枠３の間が水密にシールされる。
【００４１】
このように、ガイド板４６があると、このガイド板４６に導かれて支持板４２の載置部４２３が下側窓枠３の上に載るので、従来のように、載置部４２３が下側窓枠に衝突することがない。
又、外壁パネルが下方に移動しなくなり、外壁カバー材と上側窓枠との間の水密性が悪くなることがない。
このように、この開口の周囲から雨が漏れなくなり安心でしる。
【００４２】
【発明の効果】
以上詳述したように、請求項１記載の発明は、上側窓枠と下側窓枠との間に取り付けられる外壁パネルであって、外壁材または外壁カバー材が覆われた外壁材と、この外壁材または外壁カバー材と上側窓枠の間を水密にシールする上側シール材と、ボルトで外壁材を建物の構造材に近づけて固定する固定金具と、外壁材を支持する支持板と、支持板または外壁カバー材と下側窓枠の間を水密にシールする下側シール材と、外壁材を窓枠の上に導くガイド板とからなり、前記上側シール材は外壁材または外壁カバー材の上側端面に設けられ、前記固定金具は外壁材の裏側に設けられ、前記支持板は、ほぼ水平な水平部とほぼ垂直な垂直部とほぼ水平な載置部とがＺ形に形成され、この垂直部を外壁材の壁面に平行にし、載置部を室内方向に突出させた状態にして、水平部が外壁材または外壁カバー材の下側端面に取り付けられ、前記下側シール材は支持板の垂直部または外壁カバー材の室内側面に取り付けられ、前記ガイド板は支持板の載置部の室内側先端に斜め上方向に延設されているから、寸法精度が悪くて上側窓枠と下側窓枠との間の距離より外壁パネルが長い場合でも、斜め上方向に延設されているガイド板を簡単に下側窓枠の上に載せることができるし、固定金具をボルトで次第に建物の構造材に近づけて、ガイド板とこのガイド板に続く支持板の載置部を下側窓枠または構造材の上に載せることができるし、支持板の垂直部または外壁カバー材の室内側面に取り付けられている下側シール材を下側窓枠に密着させることができる。
【００４３】
その結果、下側シール材が下側窓枠または外壁カバー材に密着し、この部分から雨水が漏れない。又、外壁パネルが下方に移動しなくなり、外壁材または外壁カバー材と上側窓枠との間の水密性が悪くなることがない。このように、この開口の周囲から雨水が漏れなくなり、安心である。
【００４４】
請求項２記載の発明は、固定金具が、支持板の垂直部の室外側面に取り付けられた取付板と、構造材当て板とからなり、取付板にはネジ孔が設けられ、構造材当て板には通孔が設けられ、外壁材を建物の構造材に近づける前記ボルトが構造材当て板の通孔から取付板のネジ孔に螺入されて構造材当て板と取付板とが連結されているから、構造材当て板を構造材の室内側面に当接させて、構造材当て板の通孔から取付板のネジ孔にボルトを螺入すると、取付板と構造材当て板との距離が縮まり固定金具を次第に建物の構造材に近づけることができる。
【００４５】
請求項３記載の発明は、請求項１または２記載の外壁パネルの上端を下方向または斜め下方向から上側窓枠の下側端面に接近させて、外壁材または外壁カバー材の上側端面に設けられている上側シール材を上側窓枠の下側端面に押し当てた状態にして、外壁パネルの下部を下側窓枠に接近させて、ガイド板を下側窓枠または構造材の上に載せた後、固定金具をボルトで次第に建物の構造材に近づけて、下側窓枠または構造材の上に載っているガイド板を室内方向に滑動させて、ガイド板を延設させている支持板の載置部を下側窓枠または構造材の上に載せると同時に、下側シール材を下側窓枠の室外面に密着させるから、寸法精度が悪くて上側窓枠と下側窓枠との間の距離より外壁パネルが長い場合でも、斜め上方向に延設されているガイド板を簡単に下側窓枠の上に載せることができるし、固定金具をボルトで次第に建物の構造材に近づけて、ガイド板とこのガイド板に続く支持板の載置部を下側窓枠または構造材の上に載せることができるし、支持板の垂直部または外壁カバー材の室内側面に取り付けられている下側シール材を下側窓枠に密着させることができる。
【００４６】
その結果、下側シール材が下側窓枠または外壁カバー材に密着し、この部分から雨水が漏れない。又、外壁パネルが下方に移動しなくなり、外壁材または外壁カバー材と上側窓枠との間の水密性が悪くなることがない。このように、開口の周囲から雨水が漏れなくなり、安心である。
【図面の簡単な説明】
【図１】本発明の一実施例を示すもので、上下に窓が設けられた建物の窓部分を示す正面図である。
【図２】図１のＡ−Ａ線における断面図である。
【図３】外壁パネルを示すもので、（イ）は斜視図、（ロ）は外壁パネルを裏返した状態を示す斜視図である。
【図４】（イ）は図３のＢ−Ｂ線における断面図、（ロ）は（イ）のＣ部分の支持板の載置部が窓枠の上に載った状態を示す断面図である。
【図５】従来の２階に上側窓枠と１階の下側窓枠が取り付けられ、この間に４枚の壁パネルが取り付けられた図を示すもので、上下に窓枠が取り付けられた壁の正面図である。
【図６】（イ）、（ロ）は図５のＤ−Ｄ線における断面図である。
【図７】図５のＥ部分の斜視断面図である。
【符号の説明】
１                建物の壁
２                上側窓枠
２１              上側窓枠の構造材（窓台）
３                下側窓枠
３１              下側窓枠の構造材（マグサ）
４                外壁パネル
４１              外壁材
４２              支持板
４２１            水平部
４２２            垂直部
４２３            載置部
４３              固定金具
４３１            取付板
４３２            構造材当て板
４４              上側シール材
４５              下側シール材
４６              ガイド板
４７              外壁カバー材
５                ボルト
【図１】
0004005298.tif 000002
【図２】
0004005298.tif 000003
【図３】
0004005298.tif 000004
【図４】
0004005298.tif 000005
【図５】
0004005298.tif 000006
【図６】
0004005298.tif 000007
【図７】
0004005298.tif 000008